(57)【特許請求の範囲】
【請求項１】
建築物に設けられた被取付部に取り付けられる照明器具であって、
前記被取付部に取り付けられる引掛栓刃部が上面に設けられたベース部と、
発光部及び当該発光部に電力を供給する電源回路が設けられ、前記ベース部に上方を覆われた器具筐体と、を備え、
前記ベース部には、第１の窓部が設けられ、
前記器具筐体には、第２の窓部が設けられ、
前記第１の窓部及び前記第２の窓部は、前記引掛栓刃部を前記ベース部の下方から視認可能に配置されており、
前記第１の窓部は、上面視において前記引掛栓刃部と前記ベース部の周縁との間に設けられ、
前記第２の窓部は、前記発光部及び前記電源回路を囲む前記器具筐体の周壁に設けられ、側面視において前記第１の窓部の下に位置する
照明器具。
【請求項２】
前記第１の窓部は、前記ベース部を貫通する開口であり、
前記第２の窓部は、前記周壁を貫通する開口である
請求項１に記載の照明器具。
【請求項３】
前記ベース部は、傾斜壁を有し、
前記傾斜壁は、前記第１の窓部の前記引掛栓刃部側から前記第２の窓部の下端に向け傾斜し、上面視において当該第１の窓部と重なる
請求項１又は２に記載の照明器具。
【請求項４】
透明な部材を備え、
前記透明な部材は、前記第１の窓部に嵌められている
請求項２又は３に記載の照明器具。
【発明の詳細な説明】
【技術分野】
【０００１】
本発明は、照明器具に関する。
【背景技術】
【０００２】
従来、照明器具が引掛シーリング（引掛シーリングローゼット）に取り付けられるときに、照明器具を引掛シーリングと電気的及び機械的に接続するためのアダプタ装置が用いられる。一方、引掛シーリングと電気的及び機械的に接続するためのアダプタ装置とが一体となった照明器具が知られている。特許文献１には、このような照明器具に関連する技術が記載されている。
【先行技術文献】
【特許文献】
【０００３】
【特許文献１】特開２０１５−８１４９号公報
【発明の概要】
【発明が解決しようとする課題】
【０００４】
特許文献１に示される照明器具では、発光部及び電源回路を備える器具筐体の上を覆う蓋部にアダプタ装置が一体となって配置されている。従って、ユーザが照明器具を斜め下から見る場合、アダプタ装置は器具筐体及び蓋部が障害物となり、ユーザはアダプタ装置を視認できないことがある。これにより、照明器具が引掛シーリングに取り付けられる際に、ユーザはアダプタ装置の引掛栓刃と引掛シーリングの刃受けとの接続を視認しないで手探りで行う。従って、照明器具の引掛シーリングへの取り付けが困難となる。
【０００５】
そこで本発明は、ユーザが引掛シーリングへの取り付けを容易に行うことができる照明器具を提供することを目的とする。
【課題を解決するための手段】
【０００６】
本発明の一態様に係る照明器具は、建築物に設けられた被取付部に取り付けられる照明器具であって、前記被取付部に取り付けられる引掛栓刃部が上面に設けられたベース部と、発光部及び当該発光部に電力を供給する電源回路が設けられ、前記ベース部に上方を覆われた器具筐体と、を備え、前記ベース部には、第１の窓部が設けられ、前記器具筐体には、第２の窓部が設けられ、前記第１の窓部及び前記第２の窓部は、前記引掛栓刃部を前記ベース部の下方から視認可能に配置されている。
【発明の効果】
【０００７】
本発明の一態様に係る照明器具によれば、ユーザが引掛シーリングへの取り付けを容易に行うことができる。
【図面の簡単な説明】
【０００８】
【図１】実施の形態に係る照明器具の外観斜視図である。
【図２】実施の形態に係る照明器具の分解斜視図である。
【図３】実施の形態に係る照明器具の上面図及び断面図である。
【図４】実施の形態に係る照明器具及び被取付部を下側から見た外観斜視図である。
【図５】実施の形態に係る照明器具の効果を説明する図である。
【図６】その他の実施の形態に係る照明器具及び前面カバーの外観斜視図である。
【発明を実施するための形態】
【０００９】
以下では、本発明の実施の形態に係る照明器具について、図面を用いて詳細に説明する。なお、以下に説明する実施の形態は、いずれも本発明の好ましい一具体例を示すものである。従って、以下の実施の形態で示される数値、形状、材料、構成要素、構成要素の配置及び接続形態等は、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。
【００１１】
（実施の形態）
以下、実施の形態について、図１から図５を用いて説明する。
【００１２】
［照明器具の構成］
図１は、実施の形態に係る照明器具１の外観斜視図である。
【００１３】
図１の（ａ）は、照明器具１を上側から見た外観斜視図である。図１の（ｂ）は、照明器具１を下側から見た外観斜視図である。
【００１４】
照明器具１は、建築物（天井等）に設けられた被取付部（引掛シーリング）に取り付けられる照明器具であり、ベース部１０と器具筐体２０とを備える。照明器具１を上面視した場合（ｚ軸方向から見た場合）の照明器具１の寸法は、例えば１２０〜１４０ｍｍ程度である。また、照明器具１の厚み（ｚ軸方向の長さ）は例えば３０〜５０ｍｍ程度である。
【００１５】
図１の（ａ）に示されるように、ベース部１０には、被取付部（引掛シーリング）に取り付けられる引掛栓刃部１３が設けられる。照明器具１は、引掛栓刃部１３が引掛シーリングの刃受けに接続されることで引掛シーリングに取り付けられる。
【００１６】
図１の（ｂ）に示されるように、器具筐体２０には、後述する発光部２３が発する光を透光して照射する透光性カバー２７が設けられている。
【００１７】
このように、照明器具１の上側（天井側）に引掛栓刃部１３が設けられ、照明器具１の下側（床面側）に透光性カバー２７が設けられる。なお、以下の実施の形態では、被取付部（引掛シーリング）が取り付けられた天井側を上側、床面側を下側と表現する。
【００１８】
図２は、実施の形態１に係る照明器具１の分解斜視図である。図２の（ａ）は、照明器具１を上側から見た分解斜視図である。図２の（ｂ）は、照明器具１を下側から見た分解斜視図である。なお、図１及び図２では、部材同士を固定するねじについては、図示が省略される。
【００１９】
ベース部１０は、被取付部（引掛シーリング）に取り付けられる引掛栓刃部１３が上面（被取付部側の面）に設けられる。ベース部１０は、蓋部１１、第１の窓部１２、引掛栓刃部１３、傾斜壁１４及びねじ孔１５を有する。
【００２０】
蓋部１１は、後述する器具筐体２０の上側を覆う蓋であり、例えば上側から落ちてくる埃等の進入から器具筐体２０を保護する。蓋部１１は、例えば円形形状を有する。なお、蓋部１１の形状は、円形形状に限らず、多角形形状等でもよい。蓋部１１は、立体加工が行えるように、例えば合成樹脂材料（例えば、ＡＢＳ（Ａｃｒｙｌｏｎｉｔｒｉｌｅ  Ｂｕｔａｄｉｅｎｅ  Ｓｔｙｒｅｎｅ）樹脂などの熱可塑性樹脂）により形成される。また、蓋部１１の例えば中央部には窪みが設けられ、後述する引掛栓刃部１３を固定するための爪（図示せず）が設けられている。
【００２１】
第１の窓部１２は、蓋部１１に設けられた開口である。第１の窓部１２については、後述する図３で詳細に説明する。
【００２２】
引掛栓刃部１３は、照明器具１を引掛シーリングに電気的及び機械的に接続するための例えばアダプタ装置である。引掛栓刃部１３には、引掛栓刃部１３を上下に貫通する孔が設けられ、孔の内部には、上述した蓋部１１が有する引掛栓刃部１３を固定するための爪が引っ掛かる溝が設けられている。これにより、引掛栓刃部１３は、蓋部１１に固定され、蓋部１１と一体になっている。また、引掛栓刃部１３は、１対の引掛栓刃１３ａを有する。引掛栓刃１３ａは、引掛シーリングの１対の刃受けに挿入されて、引掛シーリングに引っ掛かることで、照明器具１を引掛シーリングに電気的及び機械的に接続する。
【００２３】
傾斜壁１４は、蓋部１１から下側へ突出する壁である。傾斜壁１４については、後述する図３で詳細に説明する。
【００２４】
ねじ孔１５は、器具筐体２０をベース部１０に取り付けるためのねじ孔であり、蓋部１１に設けられる。
【００２５】
器具筐体２０は、ベース部１０に取り付けられて固定される。器具筐体２０は、例えば、円形形状の底面の周縁から上側へ向けて周壁２４が突出した略有底円筒形状の上側が開口した筐体である。器具筐体２０は上側が開口しており、器具筐体２０はその開口をベース部１０が覆うようにしてベース部１０に取り付けられる。つまり、器具筐体２０は、ベース部１０に上方（上側）を覆われる。器具筐体２０は、底面にも開口を有し、図２の（ｂ）に示されるように、底面の開口には透光性カバー２７が取り付けられる。また、器具筐体２０には、電源回路２２及び発光部２３が設けられる。電源回路２２及び発光部２３は、器具筐体２０が有する周壁２４に囲まれる。器具筐体２０は、後述する発光部２３の点灯により発生する熱を放熱するための放熱体として、例えばアルミ材により形成される。また、器具筐体２０は、第２の窓部２１、係合部２５及びねじ受け孔２６を有する。
【００２６】
第２の窓部２１は、器具筐体２０の周壁２４に設けられる開口である。第２の窓部２１については、後述する図３で詳細に説明する。
【００２７】
電源回路２２は、発光部２３に供給するための電力を生成する電源回路である。電源回路２２は、引掛栓刃１３ａを介して例えば交流電力が供給される。そして、電源回路２２は、例えば交流電力から直流電力を生成する。
【００２８】
発光部２３は、透光性カバー２７へ光を発する光源であり、表面実装（ＳＭＤ：Ｓｕｒｆａｃｅ  Ｍｏｕｎｔ  Ｄｅｖｉｃｅ）型の発光モジュールであって、基板と、基板に実装されたＬＥＤ（Ｌｉｇｈｔ  Ｅｍｉｔｔｉｎｇ  Ｄｉｏｄｅ）パッケージとを備える。発光部２３は、後述する図３の（ｂ）に示されるように、透光性カバー２７に覆われる。なお、発光部２３は、ＣＯＢ（Ｃｈｉｐ  Ｏｎ  Ｂｏａｒｄ）型の発光モジュールであってもよい。
【００２９】
周壁２４は、電源回路２２及び発光部２３を側方から囲む外周形状が例えば環状の周壁である。周壁２４により、電源回路２２及び発光部２３は保護される。
【００３０】
係合部２５は、後述する前面カバー３０を器具筐体２０に取り付ける構造を有する。例えば、係合部２５は、周壁２４の外周面に設けられたねじ山である。具体的には、係合部２５は、周壁２４の周方向に螺旋状に延びるように設けられたねじ山である。より具体的には、係合部２５は、周壁２４の外周面を底面側から徐々に上側へ移動しながら周方向に延びるねじ山であり、連続して延びるように設けられる。なお、係合部２５は、最低限ねじの作用が得られる長さであれば、断続的に設けられてもよい。
【００３１】
ねじ受け孔２６は、器具筐体２０をベース部１０に取り付けるためのねじを受ける孔である。器具筐体２０がねじ孔１５とねじ受け孔２６とによりベース部１０にねじ止めされることで、器具筐体２０はベース部１０に固定される。ねじ受け孔２６には、例えば、ねじを受けるためのねじ山が設けられる。
【００３２】
透光性カバー２７は発光部２３を覆って、器具筐体２０に取り付けられる。つまり、透光性カバー２７は、器具筐体２０の外面の一部を構成し、発光部２３を保護している。透光性カバー２７は、発光部２３が発する光を器具筐体２０の外部に透光する材料で構成されている。これにより、透光性カバー２７は、光を照明器具１の外部に放出する。透光性カバー２７は、例えば、アクリル又はポリカーボネート等の樹脂材料、又は、ガラス材料等により形成される。透光性カバー２７は、例えば発光部２３からの光を集光するための集光機能を有してもよい。例えば、透光性カバー２７は、フレネルレンズであってもよい。また、透光性カバー２７に発光部２３からの光を拡散するための光拡散機能を持たせてもよい。
【００３３】
このように、器具筐体２０には、電源回路２２及び発光部２３が設けられるため、器具筐体２０は最低でも電源回路２２及び発光部２３よりも大きくなってしまう。また、ベース部１０は、埃等の進入から器具筐体２０を保護するために、蓋部１１が器具筐体２０を上側から覆うため、器具筐体２０よりも上面視において大きくなる。従って、ユーザが照明器具１を照明器具１の下方（下方斜め方向）から見る場合、ユーザはベース部１０の上面に設けられた引掛栓刃部１３をベース部１０及び器具筐体２０が障害物となり見ることができない。ここで、下方とは、照明器具１と床面との間で、照明器具１を見ることができる範囲である。
【００３４】
次に、第１の窓部１２、第２の窓部２１及び傾斜壁１４について図３を用いて詳細に説明する。
【００３５】
図３は、実施の形態に係る照明器具１の上面図及び断面図である。図３では、器具筐体２０がベース部１０に取り付けられた状態の照明器具１が示される。図３の（ａ）には、照明器具１の上面図が示される。図３の（ｂ）には、図３の（ａ）に示されるＩＩＩ−ＩＩＩ線における断面が示される。
【００３６】
第１の窓部１２は、上面視において引掛栓刃部１３とベース部１０（蓋部１１）の周縁との間に設けられ、ベース部１０（蓋部１１）を貫通する開口である。第１の窓部１２は、例えば長方形の開口である。なお、第１の窓部１２は、複数設けられてもよい。
【００３７】
第２の窓部２１は、例えば、周壁２４を器具筐体２０の上側の開口（周壁２４の先端）から底面側へ切り欠いて形成された開口である。第２の窓部２１は、例えば長方形の開口である。第２の窓部２１は、側面視において第１の窓部１２の下に位置する。第２の窓部２１は、周壁２４を貫通する開口である。なお、第１の窓部１２が複数設けられたときには、複数の第１の窓部１２のそれぞれ対応した位置に第２の窓部２１が設けられてもよい。
【００３８】
傾斜壁１４は、第１の窓部１２の引掛栓刃部１３側から第２の窓部２１の下端に向け傾斜し、上面視において第１の窓部１２と重なる。具体的には、第１の窓部１２の引掛栓刃部１３側から、上面視においてベース部１０（蓋部１１）の周縁側に向け、かつ、側面視において第２の窓部２１の下端に向け傾斜した壁である。言い換えると、傾斜壁１４は、第１の窓部１２の開口端のうち引掛栓刃部１３の近くに位置する開口端において、蓋部１１から蓋部１１の周縁の下側（第２の窓部２１の下端）に向けて突出している。これにより、図３に示されるように、傾斜壁１４は、上面視において、第１の窓部１２と重なる。つまり、上面視において、傾斜壁１４が障害物となり、第１の窓部１２を通して器具筐体２０の内部が見られない。なお、傾斜壁１４は、さらに、引掛栓刃部１３の近くに位置する開口端と上面視において略垂直な開口端において、蓋部１１から略垂直下側に突出してもよい。これにより、器具筐体２０の内側において、第２の窓部２１と第１の窓部１２とを繋ぐ、周囲を傾斜壁１４で覆われた経路が設けられてもよい。
【００３９】
このように、第１の窓部１２及び第２の窓部２１が配置されることで、ユーザの眼と引掛栓刃部１３との間で、第２の窓部２１から第１の窓部１２を通り、障害物に遮られない視線を結ぶことができる。つまり、第１の窓部１２及び第２の窓部２１は、引掛栓刃部１３（引掛栓刃１３ａ）をベース部１０の下方から視認可能に配置されている。ここで、ベース部１０の下方とは、例えば、ベース部１０の下方のうち、第１の窓部１２の引掛栓刃部１３側の開口端と第２の窓部２１の下端とを通る面より上側のことである。従って、第１の窓部１２が蓋部１１のより引掛栓刃部１３側まで開口し、第２の窓部２１が周壁２４のより下側まで開口することで、第１の窓部１２及び第２の窓部２１は、引掛栓刃１３ａをベース部１０の下方のより広い範囲から視認可能にする。なお、第１の窓部１２が、より蓋部１１の周縁側まで開口することで、第１の窓部１２及び第２の窓部２１は、引掛栓刃１３ａをベース部１０の下方のうち、ベース部１０の付近からも視認可能にする。
【００４０】
また、図３の（ｂ）に示されるように、第１の窓部１２及び第２の窓部２１が設けられた領域の周辺には、電源回路２２及び発光部２３等が設けられていない。これに対して、第１の窓部１２及び第２の窓部２１が設けられた領域の周辺に電源回路２２及び発光部２３等が設けられた場合、第１の窓部１２及び第２の窓部２１が設けられた領域の周辺に傾斜壁１４を設けることができない。また、傾斜壁１４が設けられない場合に、第１の窓部１２及び第２の窓部２１が設けられた領域の周辺に電源回路２２及び発光部２３等が設けられた場合、電源回路２２及び発光部２３等が障害物となり、ユーザは引掛栓刃１３ａを視認できなくなる。従って、第１の窓部１２及び第２の窓部２１が設けられた領域の周辺には、電源回路２２及び発光部２３等が設けられない。
【００４１】
［引掛栓刃が視認される状態］
図４は、実施の形態に係る照明器具１及び被取付部１００を下側から見た外観斜視図である。図４には、被取付部１００（引掛シーリング）が示されている。被取付部１００は、引掛栓刃１３ａが接続される刃受け１００ａを有する。
【００４２】
図４に示されるように、周壁２４に設けられた第２の窓部２１及び蓋部１１に設けられた第１の窓部１２を通して引掛栓刃１３ａは、下方から視認される。また、照明器具１が図４に示される位置よりさらに上側に移動させられることで、第２の窓部２１及び第１の窓部１２を通して引掛栓刃１３ａ及び刃受け１００ａは、下方から視認される。
【００４３】
このように、第１の窓部１２及び第２の窓部２１は、引掛栓刃部１３（引掛栓刃１３ａ）をベース部１０の下方から視認可能に配置されている。
【００４４】
［効果等］
発光部及び電源回路を備える器具筐体の上を覆う蓋部にアダプタ装置が一体となって配置された照明器具がある。このような照明器具をユーザが斜め下から見る場合、アダプタ装置は器具筐体及び蓋部が障害物となり、ユーザはアダプタ装置を視認できないことがある。これにより、照明器具が引掛シーリングに取り付けられる際に、ユーザはアダプタ装置の引掛栓刃と引掛シーリングの刃受けとの接続を視認しないで手探りで行う。従って、照明器具の引掛シーリングへの取り付けが困難となる。
【００４５】
そこで、本実施の形態に係る照明器具１は、建築物に設けられた被取付部１００に取り付けられる照明器具である。照明器具１は、被取付部１００に取り付けられる引掛栓刃部１３が上面に設けられたベース部１０と、発光部２３及び発光部２３に電力を供給する電源回路２２が設けられ、ベース部１０に上方を覆われた器具筐体２０とを備える。また、ベース部１０には、第１の窓部１２が設けられ、器具筐体２０には、第２の窓部２１が設けられる。そして、第１の窓部１２及び第２の窓部２１は、引掛栓刃部１３をベース部１０の下方から視認可能に配置されている。
【００４６】
これにより、ユーザは、第２の窓部２１及び第１の窓部１２を通して引掛栓刃部１３を、引掛栓刃部１３が設けられたベース部１０の下方から視認することができる。ここで、照明器具１の効果について、図５を用いて説明する。
【００４７】
図５は、実施の形態に係る照明器具１の効果を説明する図である。図５に示されるように、ユーザは、引掛栓刃部１３（引掛栓刃１３ａ）を視認しながら、照明器具１を被取付部１００（引掛シーリング）に近づけていくことができる。そして、ユーザは、引掛栓刃１３ａと被取付部１００の刃受け１００ａとの両方を同時に視認しながら、引掛栓刃１３ａを刃受け１００ａに接続することができる。従って、ユーザは、照明器具１の引掛シーリングへの取り付けを容易に行うことができる。
【００４８】
また、第１の窓部１２は、上面視において引掛栓刃部１３とベース部１０の周縁との間に設けられ、第２の窓部２１は、発光部２３及び電源回路２２を囲む器具筐体２０の周壁２４に設けられ、側面視において第１の窓部１２の下に位置する。
【００４９】
これにより、ユーザの眼と引掛栓刃部１３との間で、第２の窓部２１から第１の窓部１２を通る視線を結ぶことができる。従って、ユーザは、引掛栓刃部１３と被取付部１００（引掛シーリング）とを視認しながら接続することができるため、照明器具１の引掛シーリングへの取り付けを容易に行うことができる。
【００５０】
また、第１の窓部１２は、ベース部１０を貫通する開口であり、第２の窓部２１は、周壁２４を貫通する開口である。
【００５１】
これにより、ユーザは、周壁２４に設けられた開口及びベース部１０に設けられた開口を通して引掛栓刃部１３を、引掛栓刃部１３が設けられたベース部１０の下方から視認することができる。従って、ユーザは、引掛栓刃部１３と被取付部１００（引掛シーリング）とを視認しながら接続することができるため、照明器具１の引掛シーリングへの取り付けを容易に行うことができる。
【００５２】
また、ベース部１０は、傾斜壁１４を有する。傾斜壁１４は、第１の窓部１２の引掛栓刃部１３側から第２の窓部２１の下端に向け傾斜する。そして、傾斜壁１４は、上面視において第１の窓部１２と重なる。
【００５３】
これにより、例えば、第１の窓部１２が開口の場合、天井側から落ちてくる埃等が器具筐体２０内に進入してしまう可能性があるが、傾斜壁１４が設けられることにより、埃等が器具筐体２０に進入することが抑制される。
【００５４】
（その他の実施の形態）
以上、本発明に係る照明器具について、上記実施の形態に基づいて説明したが、本発明は、上記の実施の形態に限定されるものではない。
【００５５】
上記実施の形態では、第１の窓部１２は開口であり、開口に何も嵌められなかったが、これに限らない。例えば、照明器具１は、透明な部材を備え、第１の窓部１２には、透明な部材が嵌められていてもよい。少なくとも第１の窓部１２を透明な部材として例えば透明な板材が嵌め込まれた第１の窓部１２とすることにより、第１の窓部１２に嵌められた透明な部材は、ユーザが引掛栓刃部１３を視認することを妨害しないで、天井側から落ちてくる埃等が器具筐体２０に進入することを抑制することができる。この場合、傾斜壁１４は、設けられなくてもよい。あるいは、第１の窓部１２及び第２の窓部２１の両方に透明な板材で窓を形成しても同様な効果を得られる。この場合も傾斜壁１４は、設けられても設けられなくてもよい。
【００５６】
また、上記実施の形態では、透光性カバー２７は、光を照明器具１の外部に放出したが、これに限らない。例えば、照明器具１に前面カバー３０が取り付けられ、前面カバー３０が光を放出してもよい。ここで、前面カバー３０について説明する。
【００５７】
図６は、その他の実施の形態に係る照明器具１及び前面カバー３０の外観斜視図である。
【００５８】
図６に示されるように、照明器具１が被取付部１００（引掛シーリング）に取り付けられた状態で前面カバー３０は照明器具１に取り付けられる。
【００５９】
前面カバー３０は、略有底円筒形状の上面側が開口したカバーである。前面カバー３０は、透光性カバー２７が取り付けられた器具筐体２０を透光性カバー２７が取り付けられた底面側から覆って、器具筐体２０に取り付け可能なカバーである。前面カバー３０は、例えば、アクリル樹脂、ポリカーボネート樹脂、ガラス又はシリコン樹脂等により形成され透光性を有する。また、前面カバー３０は、光拡散性を有し、透光性カバー２７から照射される光を拡散する。
【００６０】
底部３１は、前面カバー３０が器具筐体２０を覆うときに、透光性カバー２７と対向する。つまり、底部３１は、器具筐体２０の透光性カバー２７が取り付けられた底面側を覆う。底部３１は、曲面形状を有し、透光性カバー２７から照射された光を受け、照明器具１の外へ光を拡散して放出する。
【００６１】
カバー周壁３２は、底部３１から突出した内周形状が環状の周壁である。カバー周壁３２の内径は、周壁２４の外径よりも大きく、前面カバー３０が器具筐体２０を覆うときに、カバー周壁３２の内周面と周壁２４の外周面は周方向に沿って対向する。つまり、カバー周壁３２は、周壁２４を側面から囲む。カバー周壁３２は、前面カバー３０を器具筐体２０に取り付ける構造を有する。例えば、カバー周壁３２の内側には、周壁２４に設けられた係合部２５と同じように、係合部２５と掛かり合うねじ山が設けられる。これにより前面カバー３０に設けられたねじ山と器具筐体２０に設けられたねじ山とが掛かり合い前面カバー３０は、別途、締結部材（ねじ等）を使用することなく器具筐体２０に取り付けられる。なお、前面カバー３０と器具筐体２０とが掛かり合う構造であれば、係合部２５はねじ山に限らない。例えば、係合部２５は、前面カバー３０を引っ掛ける又は支える構造であればよい。具体的には、係合部２５は、突起又は切り欠き等であってもよい。
【００６２】
これにより、前面カバー３０が取り付けられることで、周壁２４に設けられた第２の窓部２１が隠される。また、透光性カバー２７が集光機能を有する場合、前面カバー３０が取り付けられないときには、照明器具１は集光した光を照明器具１の外部へ放出する。しかし、光拡散機能を有する前面カバー３０が取り付けられることで、照明器具１は拡散光を放出することができる。また、透光性カバー２７が光拡散機能を有する場合、光拡散機能を有する前面カバー３０が取り付けられることで、照明器具１はより広い範囲に拡散光を放出することができる。
【００６３】
また、上記実施の形態では、第１の窓部１２及び第２の窓部２１は、開口であったがこれに限らない。例えば、第１の窓部１２及び第２の窓部２１が透明な部材であってもよい。さらに、蓋部１１及び周壁２４が透明な部材であってもよい。
【００６４】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００６５】
１  照明器具
１０  ベース部
１２  第１の窓部
１３  引掛栓刃部
１４  傾斜壁
２０  器具筐体
２１  第２の窓部
２２  電源回路
２３  発光部
２４  周壁
１００  被取付部
【図１】
0006473950.tif 000002
【図２】
0006473950.tif 000003
【図３】
0006473950.tif 000004
【図４】
0006473950.tif 000005
【図５】
0006473950.tif 000006
【図６】
0006473950.tif 000007